(57)【要約】【課題】予め設定する内線番号確認の所定条件を解除する場合、余分なオフフック操作などの手間が免れない。【解決手段】内線番号確認のための番号検索状態設定の際には、いずれかの内線から番号通知特番ダイヤルがあった場合に番号検索状態設定部１６が駆動され、検索状態時限計測部１７の時限計測を開始して番号検索状態設定中となる。一方、検索状態時限計測部１７の時限到達で番号検索状態の設定を自動的に解除する。中央制御部１４は、内線からの発呼を検出した際に、番号検索状態設定中の場合には音声制御部１２を駆動して音声データ記憶部１３に記憶の内線番号データを取り出して音声変換して音声受信電話機２０へ送出する。番号検索状態設定解除された場合には通常のダイヤル発信処理が実行される。【選択図】図１
2008252631.tif 000002
【特許請求の範囲】
【請求項１】
内線のオフフックを検出した際、その内線に対応する内線番号を音声でその内線へ送出してその内線の端末でその内線番号を確認する方法において、少なくとも一つの時限計測手段を備え、内線番号確認のための番号検索状態を設定する際に所定手順により所定時限の計測を開始し、その時限の到達で前記設定を自動的に解除することを特徴とする内線番号確認方法。
【請求項２】
請求項１に記載の内線番号確認方法において、一つの前記時限計測手段を備え、内線からのオフフックによる発呼を検出した際、番号検索状態を設定中の場合には所定の手順により前記オフフック内線に対してその内線番号を音声により送出する一方、番号検索状態設定が解除の場合には通常のダイヤル発信を可能にすることを特徴とする内線番号確認方法。
【請求項３】
請求項１に記載の内線番号確認方法において、内線からのオフフックによる発呼を検出した際、そのオフフック内線に対応して一つの前記時限計測手段を選択し、所定時限の計測を開始して内線番号確認のための番号検索状態を設定し、所定の手順により前記オフフック内線に対してその内線番号を音声により送出する一方、番号検索状態設定が解除の場合には通常のダイヤル発信を可能にすることを特徴とする内線番号確認方法。
【請求項４】
請求項１に記載の内線番号確認方法において、前記時限の計測はタイマの時間計測によることを特徴とする内線番号確認方法。
【請求項５】
請求項１に記載の内線番号確認方法において、前記時限の計測は送出内線番号音声の送出計数によることを特徴とする内線番号確認方法。
【請求項６】
内線のオフフックを発呼として検出した際、音声データ記憶部からその内線に対応する内線番号を読み出して音声でその内線へ送出する電話交換装置において、
内線番号確認のための番号検索状態の設定中を所定時限の計測中の際に通知する少なくとも一つの検索状態時限計測部と、
指示を受けて前記検索状態時限計測部の時限計測を開始させて前記設定中との通知を受けている間を番号検索状態設定中とし、前記検索状態時限計測部の計測で時限到達通知を受けた際に前記番号検索状態の設定を解除する少なくとも一つの番号検索状態設定部と、
番号検索状態設定用特番を受けた際に前記番号検索状態設定部に指示して所定時限の計測を開始し、その時限の到達で番号検索状態設定を自動的に解除する制御部と
を備えることを特徴とする電話交換装置。
【請求項７】
請求項６に記載の電話交換装置において、一つの前記検索状態時限計測部を備え、前記制御部は、内線からのオフフックによる発呼を検出した際、前記番号検索状態設定部のうちの一つを選択接続して、番号検索状態設定中の場合にはオフフック内線対応に内線番号を取得して前記オフフック内線の内線番号を音声により送出する一方、番号検索状態設定解除の場合には通常のダイヤル発信を可能にすることを特徴とする電話交換装置。
【請求項８】
請求項６に記載の電話交換装置において、前記検索状態時限計測部および前記番号検索状態設定部の一つずつを組にして備え、前記制御部は、内線からのオフフックによる発呼を検出した際、前記組となる一つを選択してそのオフフック内線に接続すると共に前記検索状態時限計測部の時限計測を開始させ、前記番号検索状態設定部で番号検索状態設定中の場合にはオフフック内線対応に内線番号を取得して前記オフフック内線の内線番号を音声により送出する一方、番号検索状態設定解除の場合には通常のダイヤル発信を可能にすることを特徴とする電話交換装置。
【請求項９】
請求項６に記載の電話交換装置において、前記所定時限の計測はタイマの時間計測によることを特徴とする電話交換装置。
【請求項１０】
請求項６に記載の電話交換装置において、前記所定時限の計測は送出内線番号音声の送出計数によることを特徴とする電話交換装置。
【発明の詳細な説明】
【技術分野】
【０００１】
本発明は、構内の交換装置、例えば、構内電話交換機、ボタン電話装置などで、電話機などの通信端末を設置する際、自己の内線番号の確認が可視表示器を有しない通信端末からでも容易な内線番号確認方法およびその電話交換装置に関するものである。
【背景技術】
【０００２】
従来の内線番号確認装置としては、例えば、特開平２−２６５３４４号公報（特許文献１）が開示されている。この装置では、設置した内線電話機から番号確認のための特殊番号（以下、特番と略称する）をダイヤル発信することにより交換機から音声で内線番号が通知される。この場合、担当者は、番号確認の都度、その特番をダイヤル発信する必要がある。従って、その操作性は煩雑である。
【０００３】
この問題を解決する多機能電話装置として、例えば、特開２０００−２９５６４４号公報（特許文献２）が開示されている。この特許文献２では、発呼によるオフフックでその電話機に付与されている内線番号を自動的に音声通知する回数または時間などが所定条件として予め定められ、設置工事の際に設定される。
【０００４】
例えば、図５および図６を併せ参照して説明すれば、電話交換装置１１０が構内電話交換機またはボタン電話装置であり、音声受信電話機１２０は単機能の一般電話機から多機能電話端末をも含む音声受信可能な端末である。勿論、内線番号の可視表示画面を有するものでもよい。
【０００５】
電話交換装置１１０では、番号検索条件設定部１１６に、内線番号を自動的に音声通知する回数または時間などが、所定条件として、設置工事の際に設定される。番号検索条件記憶部１１７は、音声受信電話機１２０からの発呼があった場合、過去に音声通知した回数または時間などの条件を記憶する。
【０００６】
次いで、中央制御部１１４の主要動作手順を説明する。音声受信電話機１２０からの発呼（手順Ｓ１０１、手順Ｓ１０２のＮＯ）があった際、発呼内線の内線番号が内線番号テーブル１１５から取得（手順Ｓ１０３）されると共に、番号検索条件設定部１１６の設定値と番号検索条件記憶部１１７の記憶値とが比較（手順Ｓ１０４）される。記憶値が設定値による所定条件内（手順Ｓ１０５のＹＥＳ）の場合、中央制御部１１４により音声制御部１１２が駆動されて、発呼内線対応の内線番号音声データを出力する音声データ記憶部１１３が発呼内線に接続（手順Ｓ１０６）される。ここで、内線番号が音声送出（手順Ｓ１０７）され、内線からオンフックによる終話信号を受付け（手順Ｓ１０８のＹＥＳ）の際には発呼内線は中央制御部１１４から解放（手順Ｓ１０９）される。この際、番号検索条件記憶部１１７の記憶値が更新（手順Ｓ１１０）される。
【０００７】
この更新により、番号検索条件記憶部１１７の記憶値が番号検索条件設定部１１６の設定値を越えて、所定条件を満たさなくなった場合に、上記手順Ｓ１０５は「ＮＯ」となって、番号検索条件の設定が解除され、通常の発呼処理が行われる。
【０００８】
この内線番号確認の多機能電話装置は、設定期間中の内線番号確認に際して、単に受話器を上げて音声による内線番号を聴取するのみでよいので、実用上十分であった。
【０００９】
しかし、所定条件に、音声送出の回数を設定する場合、オフフックを繰り返して音声による内線番号を確認することを配慮し、通常は、確認対象回線数以上の回数設定が行われる。したがって、所定の内線番号確認が終了した際にもなお設定回数に未達の場合、設置工事者は、その解除のため、残りの回数分のオフフック操作をする必要がある。また、時間の場合、その時間に到達した後の発呼で解除されるので、設置工事者は、設定時間まで待つ必要がある。更に、設定時間も余裕を見るのでその待合せ時間は残る。このように、設定の解除のため、余分なオフフック操作という手間が免れないという問題があり得る。
【００１０】
【特許文献１】特開平２−２６５３４４号公報
【特許文献２】特開２０００−２９５６４４号公報（図５〜図８）
【発明の開示】
【発明が解決しようとする課題】
【００１１】
解決しようとする課題は、予め設定する内線番号確認の所定条件を解除する場合、余分なオフフック操作などの手間が免れないことである。
【課題を解決するための手段】
【００１２】
本発明は、内線のオフフックを検出した際にその内線に対応する内線番号を音声でその内線へ送出してその内線の端末でその内線番号を確認する場合、予め設定する内線番号確認の所定条件を解除する際に、余分なオフフック操作などの手間を回避することを目的とする。そのため、本発明では、少なくとも一つの時限計測手段を備え、内線番号確認のための番号検索状態を設定する際に所定手順により所定時限の計測を開始し、その時限の到達で前記設定を自動的に解除することを主要な特徴とする。
【００１３】
その具体的な電話交換装置では、内線番号確認のための番号検索状態の設定中を所定時限の計測中の際に通知する少なくとも一つの検索状態時限計測部と、指示を受けて前記検索状態時限計測部の時限計測を開始させて前記設定中との通知を受けている間を番号検索状態設定中とし、前記検索状態時限計測部の計測で時限到達通知を受けた際に前記番号検索状態の設定を解除する少なくとも一つの番号検索状態設定部と、番号検索状態設定用特番を受けた際に前記番号検索状態設定部に指示して所定時限の計測を開始し、その時限の到達で番号検索状態設定を自動的に解除する制御部と、を備えることを特徴とする。
【００１４】
このような構成により、番号検索状態設定のため、一旦時限計測を開始させた後は、その時限計測の開始から終了までの番号検索状態設定中の発呼に対して発呼回線の内線番号が音声で通知される。すなわち、番号検索状態設定の解除は自動的に行われるので、例えば、設置工事者の内線番号確認の後、設定解除のための特別な操作は不要である。
【００１５】
また、一つの前記時限計測手段を備え、内線からのオフフックによる発呼を検出した際に、番号検索状態を設定中の場合には所定の手順により前記オフフック内線に対してその内線番号を音声により送出する一方、番号検索状態設定が解除の場合には通常のダイヤル発信を可能にすることができる。また、内線からのオフフックによる発呼を検出した際、そのオフフック内線に対応して一つの前記時限計測手段を選択し、内線ごとに、所定時限の計測を開始して内線番号確認のための番号検索状態を設定し、所定の手順により前記オフフック内線に対してその内線番号を音声により送出する一方、番号検索状態設定が解除の場合には通常のダイヤル発信を可能にすることもできる。
【００１６】
また、所定時限の計測は、タイマの時限計測、内線番号音声の送出計数などにより可能である。
【発明の効果】
【００１７】
本発明の内線番号確認方法およびその電話交換装置は、内線番号確認のための番号検索状態を設定する際には所定の手順で所定時限の計測を開始し、その時限の到達で設定を自動的に解除する。このため、設置工事者は、内線電話機の内線確認終了後に、番号検索状態設定の解除手続が不要である。従って、工事日の夜中２４時に時限解除を設定しておけば、自動的に翌日からの通常使用が可能になり、設置工事者の余分な手間を省くことができる。
【発明を実施するための最良の形態】
【００１８】
予め設定する内線番号確認の所定条件を解除する場合、余分なオフフック操作などの手間を省くという目的を、予め時限を設定して計測開始から終了までを番号検索状態設定中としてその間の内線発呼に対して対応内線番号を音声通知することにより、簡潔な構成で実現した。
【００１９】
以下に、図面を参照してその実施態様について説明する。図面は本発明に係る部分を示しその装置等に必須な構成要素でも省略されたものがある。機能ブロックの分離併合、または手順の前後入替えなどは、本発明の機能に基づくものであれば変更は自由であり、下記説明が本発明を限定するものではない。
【実施例１】
【００２０】
本発明の実施例１について図１を参照して説明する。
【００２１】
図１は、本発明による電話交換装置１０の実施の一形態を機能ブロックで示す説明図である。
【００２２】
電話交換装置１０は複数の内線としてそれぞれに音声受信電話機２０を接続する。電話交換装置１０は、構内電話交換機、ボタン電話装置などであるが、データ交換であってもその通信端末が送受話器、マイク・スピーカなどの音声受信設備を有する場合に適用可能である。音声受信電話機２０は現在多用される文字表示器付き多機能電話機でもよいが、本発明は、表示器のない一般電話機の設置工事の場合、特に有効である。
【００２３】
電話交換装置１０は、内線接続部１１、音声制御部１２、音声データ記憶部１３、中央制御部１４、内線番号テーブル１５、番号検索状態設定部１６、および検索状態時限計測部１７を含む。本実施例では、音声制御部１２のみは複数の配備があり得る。
【００２４】
内線接続部１１は、内線電話機として音声受信電話機２０を接続する内線ポートを有し、音声制御部１２および中央制御部１４が接続される。各ポートには中央制御部１４が接続される一方、中央制御部１４の制御を受け、各ポートに音声制御部１２または他の内線などの通信回線が選択接続される。音声制御部１２は、一方に内線接続部１１、他方に音声データ記憶部１３を接続し、中央制御部１４の制御を受ける。音声制御部１２は、中央制御部１４の指示する内線番号の音声データを音声データ記憶部１３から取り出し、音声に変換して内線接続部１１へ繰返し送出する。音声データ記憶部１３は、内線番号などの音声データを予め記憶登録している。
【００２５】
中央制御部１４は、メモリおよびプロセッサにより構成されプログラム制御されるものであって、少なくとも、内線接続部１１、音声制御部１２、内線番号テーブル１５、および番号検索状態設定部１６と接続する。そして、それは、本発明の機能を含む電話交換装置１０の機能を制御する。その詳細は後にフローチャートを参照して説明する。
【００２６】
内線番号テーブル１５には、内線接続部１１の内線ポートとそれに対応する内線番号とが予め記憶登録され、中央制御部１４が接続されている。その中央制御部１４により内線ポート番号から内線番号が取得できる。番号検索状態設定部１６は、一方に中央制御部１４、他方に検索状態時限計測部１７を接続して、中央制御部１４の指示を受け検索状態時限計測部１７を駆動してその状態情報を取得する。検索状態時限計測部１７は、例えばタイマであり、番号検索状態設定部１６からの指示により所定時限の計測を開始し、検索状態設定中を番号検索状態設定部１６に通知する一方、タイマの時限到達で検索状態設定の解除を通知または表示する。
【００２７】
検索状態時限計測部１７は、タイマとして説明したが、カウンタなど他の計測手段でもよい。カウンタの場合、指示を受けてカウンタの計数を開始して検索状態設定中とし、所定数に到達した際にその設定を解除することになる。また、カウンタの計数が、音声制御部１２において音声データ記憶部１３から繰返し読み出して送出する回数とすることもできる。
【００２８】
次に、図２Ａおよび図２Ｂのフローチャートに図１を併せ参照して、本発明による主要動作手順について説明する。検索状態時限計測部１７はタイマであるとする。
【００２９】
まず、電話交換装置１０が、音声受信電話機２０からのオフフック信号を、内線接続部１１を介して中央制御部１４で受付け（手順Ｓ１）する。中央制御部１４は、着呼の呼出し中ではなく、発呼であること（手順Ｓ２のＮＯ）を確認して、内線番号テーブル１５からオフフックを受けた内線ポート対応の内線番号を取得する。一方では番号検索状態設定部１６で番号検索状態が調査（手順Ｓ３）される。番号検索状態設定中（手順Ｓ４のＹＥＳ）の場合、中央制御部１４は、音声制御部１２を駆動して取得内線番号を通知し、音声制御部１２を内線接続部１１でオフフック対応の内線ポートに接続（手順Ｓ５）する。
【００３０】
音声制御部１２は、内線番号の通知を受けて、音声データ記憶部１３から通知された内線番号の音声データを取り出し、音声に変換して内線ポートに送出（手順Ｓ６）するので、発呼の音声受信電話機２０の送受話器でその内線番号を聴取できる。従って、内線番号を確認した設置工事者はオンフック操作して回線を解放する。
【００３１】
一方、中央制御部１４は、番号検索状態設定部１６で番号検索状態設定中（手順Ｓ７のＮＯ）の間、内線接続部１１で接続中の内線を監視する。そして、音声受信電話機２０からのオンフック信号を受付け（手順Ｓ８のＹＥＳ）の際に、内線接続部１１でそのオンフック内線ポートが音声制御部１２から解放（手順Ｓ９）される。
【００３２】
また、上記手順Ｓ２が「ＹＥＳ」で着呼の呼出し中の場合、中央制御部１４は通常の応答処理（手順Ｓ１０）を行う。上記手順Ｓ４が「ＮＯ」で、番号検索状態が設定されていない場合、および上記手順Ｓ７が「ＹＥＳ」で、音声送出中に検索状態時限計測部１７の設定時限に到達し番号検索状態設定部１６の設定が解除されて中央制御部１４が内線接続部１１でそのオンフック内線ポートを音声制御部１２から解放（手順Ｓ１１）した場合、手順は、次の手順Ｓ１２へ進む。
【００３３】
すなわち、手順Ｓ４が「ＹＥＳ」で番号検索状態設定中、設置工事者はオフフックしたのみでその内線番号を音声により聴取が可能である。また、手順Ｓ７が「ＹＥＳ」で、番号検索状態の設定が解除された際には、手順Ｓ４が「ＮＯ」の状態、すなわち、音声受信電話機２０側では「ダイヤル発信」状態になる。
【００３４】
従って、中央制御部１４は、手順Ｓ１１に続く状態、または、手順Ｓ４が「ＮＯ」の状態では、図示されていないダイヤル受信を準備し、オフフックの内線に発信音を送出（手順Ｓ１２）する。その内線からダイヤル符号の受付けあり（手順Ｓ１３のＹＥＳ）で、そのダイヤル符号が内線番号を検索する特殊番号、すなわち番号通知特番（手順Ｓ１４のＹＥＳ）の場合、中央制御部１４は、番号検索状態設定部１６に検索状態時限計測部１７への番号検索状態設定を指示（手順Ｓ１５）する。これによって、番号検索状態設定部１６が検索状態時限計測部１７へ設定時限の計測開始を指示するので、番号検索状態は設定中の上記手順Ｓ４で「ＹＥＳ」の状態になる。従って、手順は、中央制御部１４が、音声制御部１２を駆動して取得内線番号を通知し、かつ、音声制御部１２を内線接続部１１でオフフック対応の内線ポートに接続する上記手順Ｓ５に進む。
【００３５】
上記手順Ｓ１３が「ＮＯ」でダイヤルの受付けがなくオンフック信号あり（手順Ｓ１６のＹＥＳ）の場合、その内線ポートは解放（手順Ｓ１７）される。また、上記手順Ｓ１４が「ＮＯ」で受信ダイヤルが番号通知特番でない場合、その受信したダイヤル番号に基づく通常の発呼処理（手順Ｓ１８）が実行される。
【００３６】
上記説明では一つの音声制御部１２のみが図示され説明されているが、複数の音声制御部１２を備えて、音声制御部１２それぞれに内線を接続することにより、複数の内線それぞれに設置工事者に対応させることもできる。
【００３７】
また、内線番号確認のための番号検索状態を設定する際には、電話交換装置１０に収容されるいずれか一つの内線から番号通知特番ダイヤルで番号検索状態設定部１６が駆動され、検索状態時限計測部１７の時限計測を開始して番号検索状態を設定中とすることができる。一方、検索状態時限計測部１７の時限到達で番号検索状態の設定は自動的に解除される。中央制御部１４は、内線からの発呼を検出した際に、番号検索状態設定中の場合には一つの音声制御部１２を駆動して音声データ記憶部１３に記憶される内線番号データを読み出し、音声変換して音声受信電話機２０へ送出する。番号検索状態設定が解除された場合には通常のダイヤル発信処理が実行される。
【００３８】
上記説明における登録データは、周知の手段により更新することができる。従って、検索状態時限計測部の検索状態時限も予め変更設定が可能である。また、周知の手段を用いて番号検索状態設定部に指示し、検索状態時限計測部の時限計測を途中で解消し、番号検索状態の設定を解除することも可能である。
【００３９】
このような形態を採用しているので、検索状態時限計測の時限を適切に設定することにより、電話機の設置工事者は内線番号確認終了の特別な操作なしで、工事を終了することができる。従って、内線番号の確認を単純な操作で容易に実行し終了することができ、作業時間を低減する効果がある。
【実施例２】
【００４０】
本発明の実施例２について図３及び図４Ａ、図４Ｂを参照して説明する。
【００４１】
図３は、本発明による電話交換装置１０Ａの実施の一形態をブロックで示す説明図であり、図４Ａおよび図４Ｂは図３の主要動作手順の実施の一形態をフローチャートに示す説明図である。
【００４２】
電話交換装置１０Ａは複数の内線として音声受信電話機２０を接続する。電話交換装置１０Ａは、上記図１の電話交換装置１０とほぼ同一の構成で、内線接続部１１Ａ、音声制御部１２Ａ、音声データ記憶部１３Ａ、中央制御部１４Ａ、内線番号テーブル１５Ａ、番号検索状態設定部１６Ａ、および検索状態時限計測部１７Ａを含む。その相違は、音声制御部１２Ａと番号検索状態設定部１６Ａおよび検索状態時限計測部１７Ａとが一組を形成して、複数の配備があり得ることである。これ等構成要素のうち、内線接続部１１Ａおよび内線番号テーブル１５Ａは上述の実施例１と同一構成でよい。更に、中央制御部１４Ａから番号検索状態設定部１６Ａへのアクセスは、音声制御部１２Ａを経由してもよい。
【００４３】
そのため、動作手順も上述した実施例１の図２Ａおよび図２Ｂとほぼ同一でよいが、手順Ｓ３では音声制御部１２Ａに接続を調査することになる。従って、手順Ｓ５が手順Ｓ１５の次に移動し、手順Ｓ４が手順Ｓ６へ直結される。
【００４４】
ここで、図４Ａおよび図４Ｂのフローチャートに図３を併せ参照して、本発明による主要動作手順について説明する。検索状態時限計測部１７Ａはタイマであるとする。
【００４５】
まず、電話交換装置１０Ａが、音声受信電話機２０からのオフフック信号を、内線接続部１１Ａを介して中央制御部１４Ａで受付け（手順Ｓ２１）する。中央制御部１４Ａは、着呼の呼出し中ではなく、発呼であること（手順Ｓ２２のＮＯ）を確認して、内線番号テーブル１５Ａからオフフックを受けた内線ポート対応の内線番号を取得する。一方、中央制御部１４Ａは、そのオフフック内線に音声制御部１２Ａの接続中を調査（手順Ｓ２３）する。その内線に音声制御部１２Ａが接続中（手順Ｓ２４のＹＥＳ）の場合にはその内線の内線番号が音声送出中（手順Ｓ２５）なので、発呼の音声受信電話機２０の送受話器でその内線番号を聴取できる。従って、内線番号を確認した設置工事者はオンフック操作して回線を解放する。
【００４６】
一方、中央制御部１４は、番号検索状態設定部１６Ａで検索状態設定中（手順Ｓ２６のＮＯ）の間では内線接続部１１Ａで接続中の内線を監視する。そして、音声受信電話機２０からのオンフック信号を受付け（手順Ｓ２７のＹＥＳ）の際、内線接続部１１Ａでそのオンフック内線ポートが音声制御部１２Ａから解放（手順Ｓ２８）される。
【００４７】
また、上記手順Ｓ２２が「ＹＥＳ」で着呼呼出し中の場合、中央制御部１４Ａは通常の応答処理（手順Ｓ２９）を行う。上記手順Ｓ２４が「ＮＯ」で、音声制御部１２Ａが接続されていない場合、または、上記手順Ｓ２６が「ＹＥＳ」で、音声送出中に検索状態時限計測部１７Ａの設定時限に到達し番号検索状態設定部１６Ａの設定が解除されて中央制御部１４Ａが内線接続部１１Ａでそのオンフック内線ポートを音声制御部１２Ａから解放（手順Ｓ３０）した場合、手順は、次の手順Ｓ３１へ進む。
【００４８】
すなわち、手順Ｓ２４が「ＹＥＳ」でその内線が音声制御部１２Ａに接続中では、設置工事者はオフフックしたのみでその内線番号を音声により聴取が可能である。また、手順Ｓ２６が「ＹＥＳ」で、番号検索状態の設定が解除された際には、手順Ｓ２４が「ＮＯ」の状態、すなわち、音声受信電話機２０側では「ダイヤル発信」状態になる。
【００４９】
次に、中央制御部１４Ａは、手順Ｓ３０に続く状態か、または、手順Ｓ２４が「ＮＯ」の状態では、図示されていないダイヤル受信を準備し、オフフックの内線に発信音を送出（手順Ｓ３１）する。その内線からダイヤル符号の受付けあり（手順Ｓ３２のＹＥＳ）の際に、そのダイヤル符号が、内線番号を検索する特殊番号、すなわち番号通知特番（手順Ｓ３３のＹＥＳ）の場合、中央制御部１４Ａは、番号検索状態設定部１６Ａに検索状態時限計測部１７Ａへの番号検索状態設定を指示する。これにより、番号検索状態設定部１６Ａが検索状態時限計測部１７Ａへ設定時限の計測開始を指示するので、番号検索状態は設定中（手順Ｓ３４）になる。従って、中央制御部１４Ａが、音声制御部１２Ａを駆動して取得内線番号を通知し、音声制御部１２Ａを内線接続部１１Ａでオフフック対応の内線ポートに接続（手順Ｓ３５）することにより、その内線の内線番号が音声送出される手順Ｓ２５に進む。
【００５０】
上記手順Ｓ３２が「ＮＯ」でダイヤルの受付けがなくオンフック信号あり（手順Ｓ３６のＹＥＳ）の場合、その内線ポートは解放（手順Ｓ３７）される。また、上記手順Ｓ３３が「ＮＯ」で受信ダイヤルが番号通知特番でない場合、その受信されたダイヤル番号に基づく通常の発呼処理（手順Ｓ３８）が実行される。
【００５１】
すなわち、中央制御部１４Ａは、設置工事対象の音声受信電話機２０から番号通知特番のダイヤル発信を受付けすることにより、音声制御部１２Ａと番号検索状態設定部１６Ａおよび検索状態時限計測部１７Ａとを駆動する。これにより、中央制御部１４Ａは、音声制御部１２Ａをオフフック内線に接続し、番号検索状態設定部１６Ａから検索状態時限計測部１７Ａを駆動して番号検索状態設定中に形成する。
【００５２】
従って、その制御はオフフック内線に限定されるので、内線ごとの独立した番号検索が可能であり、他の内線では通常の機能が発揮できる。そのため、この実施例は、増設工事などで有効である。
【産業上の利用可能性】
【００５３】
予め時限を設定して計測開始から終了までを番号検索状態設定中としてその間の内線発呼に対応内線番号を通知することによって、設定解除の際に余計な手間を不要にできるので、音声に限定せず、文字表示による番号通知が必要な通信端末の設置工事のような用途に適用できる。
【図面の簡単な説明】
【００５４】
【図１】本発明による電話交換装置の実施の一形態をブロックで示した説明図である。（実施例１）
【図２Ａ】図１における主要動作手順の実施の一形態をフローチャートで示した説明図である。（実施例１）
【図２Ｂ】図１に続く主要動作手順の実施の一形態をフローチャートで示した説明図である。（実施例１）
【図３】本発明による電話交換装置の実施の一形態をブロックで示した説明図である。（実施例２）
【図４Ａ】図３における主要動作手順の実施の一形態をフローチャートで示した説明図である。（実施例２）
【図４Ｂ】図３に続く主要動作手順の実施の一形態をフローチャートで示した説明図である。（実施例２）
【図５】従来の電話交換装置の一例をブロックで示した説明図である。
【図６】図５における主要動作手順の一例をフローチャートで示した説明図である。
【符号の説明】
【００５５】
１０、１０Ａ    電話交換装置
１１、１１Ａ    内線接続部
１２、１２Ａ    音声制御部
１３、１３Ａ    音声データ記憶部
１４、１４Ａ    中央制御部
１５、１５Ａ    内線番号テーブル
１６、１６Ａ    番号検索状態設定部
１７、１７Ａ    検索状態時限計測部
２０    音声受信電話機
【図１】
2008252631.tif 000003
【図２Ａ】
2008252631.tif 000004
【図２Ｂ】
2008252631.tif 000005
【図３】
2008252631.tif 000006
【図４Ａ】
2008252631.tif 000007
【図４Ｂ】
2008252631.tif 000008
【図５】
2008252631.tif 000009
【図６】
2008252631.tif 000010